(57)【特許請求の範囲】
【請求項１】
無線ＩＤタグを内蔵するとともに周囲を樹脂層により被覆された糸状体が織り込まれた手術用ガーゼを収容するとともに当該手術用ガーゼを１枚ずつ取り出す取出し手段を有する収容部と、前記収容部に取り付けられるとともに取り出される前記手術用ガーゼについて１枚ずつ前記無線ＩＤタグと交信して識別情報を読み取る第一読取部と、使用済みの前記手術用ガーゼを脱水して回収する回収部と、前記回収部に取り付けられるとともに脱水された前記手術用ガーゼについて１枚ずつ前記無線タグと交信して識別情報を読み取る第二読取部と、前記第一読取部から出力される前記識別情報に関連付けて取出し情報を記憶する取出し処理部と、前記第二読取部から出力される前記識別情報に関連付けて回収情報を記憶する回収処理部と、前記取出し情報及び前記回収情報に基づいて未回収の前記手術用ガーゼの前記識別情報を特定する照合処理部とを備えている手術用ガーゼの管理システム。
【請求項２】
前記取出し手段は、積載された前記手術用ガーゼの一番上の１枚に接着して取り出す取出しローラを備えている請求項１に記載の手術用ガーゼの管理システム。
【請求項３】
前記回収部は、使用済みの前記手術用ガーゼを投入して脱水する回転槽を備えている請求項１又は２に記載の手術用ガーゼの管理システム。
【請求項４】
綿糸を織成して構成されたガーゼ本体と、無線ＩＤタグを内蔵するとともに前記ガーゼ本体に織り込まれた糸状体とを備え、前記糸状体は、複数個所にアンテナ形状の導電性パターンが形成されるとともに前記無線ＩＤタグのアンテナ素子部分を当該導電性パターンに巻き付けて前記無線ＩＤタグを接着固定した糸本体と、前記無線ＩＤタグが固定された前記糸本体の周囲に巻き付けられるとともに前記無線ＩＤタグの少なくとも一部を被覆して保持する保持糸と、前記保持糸が巻き付けられた前記糸本体の周囲を被覆する樹脂層とを備えている手術用ガーゼ。
【請求項５】
前記糸本体は、マルチフィラメント糸の撚糸からなり、前記保持糸は、マルチフィラメント糸の無撚糸又は甘撚糸からなるとともに繊度が前記糸本体の繊度の１／１０以下である請求項４に記載の手術用ガーゼ。
【発明の詳細な説明】
【技術分野】
【０００１】
本発明は、無線ＩＤタグを備える手術用ガーゼ及びその手術用ガーゼの使用状況を管理する管理システムに関する。
【背景技術】
【０００２】
外科手術では、手術の際に出る血液や体液を吸収するために多量のガーゼが使用されている。手術中にガーゼを使用する場合、ガーゼが血液を吸収すると血液と判別しにくくなることもあり、手術後のガーゼの取り忘れの原因となっている。そのため、ガーゼにＸ線造影糸を織り込んでおき、手術後のレントゲン撮影によりガーゼの取り忘れがないか確認することが行われているが、取り残しが発見された場合には再手術を行わなければならない。また、ガーゼの取り忘れを完全に防止することは難しいので、手術の前後でガーゼの枚数を数えて枚数管理することも行われているが、人的な管理となるために計数ミスを回避することは困難である。
【０００３】
こうした手術用ガーゼの使用状況を管理するために、ガーゼにＲＦＩＤ（Radio Frequency Identification）等の識別体を取り付けて管理する方法が提案されている。例えば、特許文献１では、ガーゼに認識用のタグを接着、縫い付け、袋閉じ等により固定し、タグを固定したガーゼのタグをリーダライタにより検出してＩＤ番号を読み取り、使用済みのガーゼを容器に収容して容器内のタグを検出しＩＤ番号を読み取って比較することで使用状況を把握する点が記載されている。また、特許文献２では、手術用ガーゼに、非接触によりデータの記録と読み出しが可能なＩＣタグを取り付けておき、用意した手術用ガーゼのＩＣタグの識別情報を登録し、手術後に回収した手術用ガーゼの識別情報と照合して用意した手術用ガーゼがすべて回収されたか判定するようにした点が記載されている。また、特許文献３では、医療用ガーゼに線状アンテナを一体形成し、線状アンテナにＲＦＩＤタグを対向するように配置して取り付け、ＲＦＩＤタグを取り付けた医療用ガーゼを手術前に容器内に収納してＲＦＩＤタグを読み取り、手術後に使用済みの医療用ガーゼを容器に収納してＲＦＩＤを読み取ることで、医療用ガーゼの紛失の有無を確認する点が記載されている。
【先行技術文献】
【特許文献】
【０００４】
【特許文献１】特開２００２−３５５２５８号公報
【特許文献２】特開２００４−１２１４１２号公報
【特許文献３】特開２０１１−０１５３９５号公報
【発明の概要】
【発明が解決しようとする課題】
【０００５】
上述した特許文献では、ガーゼにＲＦＩＤタグを後付けにより取り付けるようにしているが、ガーゼ自体が伸縮性及び柔軟性を備えているため、ガーゼを取り扱っている間に取り付けたＲＦＩＤタグが剥がれてしまうおそれがある。ＲＦＩＤタグを剥がれないようにするためにガーゼとの接着強度を高めたり、硬めの基板に実装してガーゼに取り付けることが考えられるが、ＲＦＩＤタグの取付部分の伸縮性及び柔軟性が失われて通常のガーゼに比べて使い勝手が悪いものとなってしまう課題がある。
【０００６】
また、上述した特許文献では、ＲＦＩＤタグ等の識別体をガーゼに取り付けて枚数管理を行っているが、手術前に用意したガーゼの識別情報を予め登録しておき、手術後に使用済みのガーゼの識別情報に基づいて手術前に登録した識別情報と一致するか判定するようになっており、個別のガーゼについて使用状況を管理することは行われていない。
【０００７】
すなわち、手術前に登録された識別情報と手術後に読み取られた識別情報とを比較して一致しなかった場合に、ガーゼの取り忘れがあったか否かを別の手段により探索する必要がある。また、ガーゼを使用中にＲＦＩＤタグが破損等により読み取ることができなくなった場合にも手術前と手術後とで識別情報が一致しなくなるが、その際に使用済みのガーゼをチェックし直さなければならず、現実的でない。
【０００８】
そこで、本発明は、無線ＩＤタグが外れにくく通常のガーゼと同様に取り扱うことのできる手術用ガーゼ及び手術用ガーゼの使用状況を個別管理することができる手術用ガーゼの管理システムを提供することを目的とするものである。
【課題を解決するための手段】
【０００９】
本発明に係る手術用ガーゼの管理システムは、無線ＩＤタグを内蔵するとともに周囲を樹脂層により被覆された糸状体が織り込まれた手術用ガーゼを収容するとともに当該手術用ガーゼを１枚ずつ取り出す取出し手段を有する収容部と、前記収容部に取り付けられるとともに取り出される前記手術用ガーゼについて１枚ずつ前記無線ＩＤタグと交信して識別情報を読み取る第一読取部と、使用済みの前記手術用ガーゼを脱水して回収する回収部と、前記回収部に取り付けられるとともに脱水された前記手術用ガーゼについて１枚ずつ前記無線タグと交信して識別情報を読み取る第二読取部と、前記第一読取部から出力される前記識別情報に関連付けて取出し情報を記憶する取出し処理部と、前記第二読取部から出力される前記識別情報に関連付けて回収情報を記憶する回収処理部と、前記取出し情報及び前記回収情報に基づいて未回収の前記手術用ガーゼの前記識別情報を特定する照合処理部とを備えている。さらに、前記取出し手段は、積載された前記手術用ガーゼの一番上の１枚に接着して取り出す取出しローラを備えている。さらに、前記回収部は、使用済みの前記手術用ガーゼを投入して脱水する回転槽を備えている。
【００１０】
本発明に係る手術用ガーゼは、綿糸を織成して構成されたガーゼ本体と、無線ＩＤタグを内蔵するとともに前記ガーゼ本体に織り込まれた糸状体とを備え、前記糸状体は、複数個所にアンテナ形状の導電性パターンが形成されるとともに前記無線ＩＤタグのアンテナ素子部分を当該導電性パターンに巻き付けて前記無線ＩＤタグを接着固定した糸本体と、前記無線ＩＤタグが固定された前記糸本体の周囲に巻き付けられるとともに前記無線ＩＤタグの少なくとも一部を被覆して保持する保持糸と、前記保持糸が巻き付けられた前記糸本体の周囲を被覆する樹脂層とを備えている。さらに、前記糸本体は、マルチフィラメント糸の撚糸からなり、前記保持糸は、マルチフィラメント糸の無撚糸又は甘撚糸からなるとともに繊度が前記糸本体の繊度の１／１０以下である。
【発明の効果】
【００１１】
本発明は、上記のような構成を有することで、無線ＩＤタグが外れにくく通常のガーゼと同様に取り扱うことのできる手術用ガーゼを得ることができ、さらにこの手術用ガーゼを使用することで管理システムにおいて個別管理を確実に行うことができる。
【図面の簡単な説明】
【００１２】
【図１】本発明に係る実施形態に関する概略構成図である。
【図２】収容部に関する斜視図である。
【図３】収容部の取出し動作に関する説明図である。
【図４】回収部に関する外観斜視図である。
【図５】回収部の内部構造に関する斜視図である。
【図６】回転槽の動作に関する説明図である。
【図７】手術用ガーゼに関する平面図である。
【図８】手術用ガーゼの一部拡大平面図である。
【図９】糸状体に関する概略断面図である。
【図１０】情報管理部に関するブロック構成図である。
【図１１】手術用ガーゼの取出し処理に関するフローである。
【図１２】使用済みの手術用ガーゼの回収処理に関するフローである。
【図１３】照合処理に関するフローである。
【図１４】引き抜き試験に関する説明図である。
【発明を実施するための形態】
【００１３】
以下、本発明に係る実施形態について詳しく説明する。図１は、本発明に係る実施形態に関する概略構成図である。手術用ガーゼの管理システムは、手術用ガーゼを積載した状態で収容して１枚ずつ取り出す収容部１、手術で使用した手術用ガーゼを投入して回収する回収部２、及び、手術用ガーゼの使用状況を管理する情報管理部３、及び、収容部１に収容する手術用ガーゼに織り込まれた無線ＩＤタグの識別情報等を読み取って入力する入力部４を備えている。収容部１には無線ＩＤタグと交信して識別情報を読み取る第一読取部Ｒ１が設けられており、回収部２には無線ＩＤタグと交信して識別情報を読み取る第二読取部Ｒ２が設けられている。
【００１４】
図２は、収容部１に関する斜視図である。収容部１は、直方体状の筺体１０及び筺体１０に回動可能に取り付けた蓋体１１を備えている。蓋体１１は、筺体１０の後側において回動軸部１２により上下方向に回動して開閉するように軸支されており、筺体１０の後側の側面に上下方向に沿って設けられた作動部材（図示せず）に連結されている。そして、前側に設けられた踏み板１３を踏み込む動作に連動して作動部材が上下動することで、蓋体１１が開閉するようになっている。すなわち、踏み板１３を足で踏み込むと蓋体１１が上方向に回動して開いた状態となり、踏み板１３から足を離すと蓋体１１が自重により閉じるようになる。図２では、蓋体１１が開いた状態を示している。
【００１５】
筺体１０の内部には、複数枚の手術用ガーゼＧを積載して収容する容器１４が設置されている。容器１４は、筺体１０から取り出して手術用ガーゼＧを積載した状態で容器１４内に配置した後容器１４を筺体１０内に設置する。収容された手術用ガーゼＧには、後述するように、無線ＩＤタグを内蔵する糸状体が織り込まれている。また、筺体１０の踏み板１３が設けれた側の内面には、手術用ガーゼＧに織り込まれた糸状体に内蔵する無線ＩＤタグと交信して識別情報を読み取る第一読取部Ｒ１が取り付けられている。
【００１６】
蓋体１１の内側には、支持筒１５が下方に向かって垂設されており、支持筒１５内には、取出しローラ１６が取り付けられた作動部材１７が挿入されている。支持筒１５には、圧縮バネ１８が内蔵されており、圧縮バネ１８は、作動部材１７の端部に当接して作動部材１７を支持筒１５から押し出すように付勢する。作動部材１７の端部には側方に突起状のストッパ１７ａが設けられており、ストッパ１７ａは、支持筒１５の側面に軸方向に形成されたガイド溝１５ａにストッパ１７ａが嵌合している。そのため、作動部材１７は、ガイド溝１５ａに沿ってストッパ１７ａが移動する範囲で軸方向に移動可能になっている。取出しローラ１６は、表面に粘着剤が付与されており、積載された手術用ガーゼＧに接触することで手術用ガーゼＧを１枚ずつ取り出すことができる。
【００１７】
図３は、収容部１の取出し動作に関する説明図である。蓋体１１を閉じた状態では、作動部材１７の先端部に取り付けた取出しローラ１６が圧縮バネ１８の付勢力により容器１４内に積載された手術用ガーゼＧに押し付けられた状態となっている（図３（ａ））。そして、踏み板１３を下方に踏み込むと、それに連動して蓋体１１が上方に開き、蓋体１１とともに作動部材１７が上昇するようになる。取出しローラ１６の表面には粘着剤が付着されているため、積載された手術用ガーゼＧの一番上の１枚の手術用ガーゼＧが取出しローラ１６に接着した状態で上昇する（図３（ｂ））。
【００１８】
蓋体１１は上方に開く際に回動軸部１２を中心に回動するため、蓋体１１とともに作動部材１７も上方に回動するようになる。そのため、取出しローラ１６に接着した手術用ガーゼＧも積載した位置から前方に回動するようになり、手術用ガーゼＧは、筺体１０の内側に取り付けた第一読取部Ｒ１に接近するように回動して上昇するようになる。その際に、第一読取部Ｒ１は、手術用ガーゼＧに織り込まれた糸状体に内蔵される無線ＩＤタグと交信して識別情報を読み取る。蓋体１１は、手術用ガーゼＧが筺体１０の上方に露出するように上昇した位置まで開く（図３（ｃ））。露出した手術用ガーゼＧは、ピンセットＰにより狭持されて取出しローラ１６から引きはがされ、手術に使用するために取り出される。
【００１９】
こうして収容部１から手術用ガーゼＧが１枚ずつ取り出され、手術用ガーゼＧが取り出される間に手術用ガーゼＧの無線ＩＤタグが第一読取部Ｒ１により読み取られるようになり、実際に使用される手術用ガーゼＧについて１枚ずつ確実に識別情報を読み取ることができる。なお、手術用ガーゼＧが取り出された際に無線ＩＤタグの識別情報が読み取れない場合に備えて、踏み板１３による蓋体１１の開放動作を検知する取出しセンサを設け、取出し検知センサが検知信号を出力してから所定時間内に第一読取部Ｒ１において無線ＩＤタグの識別情報を読み取れなかった場合にはブザー等で報知するようにしてもよい。
【００２０】
図４は、回収部２に関する外観斜視図であり、図５は、回収部２の内部構造に関する斜視図である。回収部２は、直方体状の筺体２０の上面には投入口２０ａが形成されており、投入口２０ａには円形状の蓋体２１が取り外し可能に嵌め込まれている。筺体２０の下部には、回収容器２２が引き出し可能に取り付けられている。筺体２０の内部には、投入口２０ａの下方に円筒形の回転槽２３が設けられている。回転槽２３は、電気的に絶縁性を有する樹脂材料からなり、上部が開口している。回転槽２３の内部には円筒形の脱水槽２４が二重に設けられており、脱水槽２４は、回転槽２３と同様に絶縁性の樹脂材料からなるとともに上方が開口して全体に多数の穴が形成されている。
【００２１】
回転槽２３の下方には回転モータ２５が設けられており、回転モータ２５の回転軸２５ａは回転槽２３の底面に取付固定されている。回転軸２５ａは回転槽２３の回転中心軸に一致するように取り付けられており、回転モータ２５を回転駆動することにより回転槽２３が回転するようになっている。使用済みの手術用ガーゼＧを投入口２０ａから脱水槽２４内に投入して回転槽２３を高速回転させることで、使用済みの手術用ガーゼＧに浸み込んだ血液等の液体を遠心力により脱水槽２４から外側の回転槽２３内に脱水する。
【００２２】
回転モータ２５は回動軸２６に固定されており、回動軸２６は、筺体２０の内側に固定された軸受２６ａ及び回動モータ２７に軸支されている。回動軸２６は、ほぼ水平方向に沿うように支持されており、回動モータ２７を回転駆動することで、回転モータ２５とともに回転槽２３が回動軸２６を中心に上下方向に回動する。
【００２３】
図６は、回転槽２３の動作に関する説明図である。図６（ａ）に示すように、回転槽２３が上方に設定された状態で回転槽２３を回転モータ２５により回転させて手術用ガーゼＧを脱水する。手術用ガーゼＧを脱水処理した後、回動モータ２７を回転駆動して回転槽２３を下方に回動させることで回転槽２３の開口部を回収容器２２に対向させ、回転槽２３内の脱水処理した手術用ガーゼＧを回収容器２２に落下させる。
【００２４】
図５に示すように、筺体２０の内側には、手術用ガーゼＧの無線ＩＤタグと交信して識別情報を読み取る第二読取部Ｒ２が回転槽２３の外側部に近接配置されて取り付けられており、手術用ガーゼＧの投入を検知する投入検知センサＳ１が回転槽２３の上部に近接配置されて取り付けられている。手術用ガーゼＧが投入口２０ａから回転槽２３内に投入された場合投入検知センサＳ１により検知されると、回転モータ２５が回転駆動されて回転槽２３が回転するようになり、手術用ガーゼＧが遠心力により脱水槽２４の内周面に密着した状態となって脱水処理される。回転槽２３に近接配置された第二読取部Ｒ２と脱水槽２４の内周面との間の距離を第二読取部Ｒ２の読取距離の範囲内に設定すれば、回転槽２３の回転中に第二読取部Ｒ２により手術用ガーゼＧの無線ＩＤタグが確実に読み取られる。特に、第二読取部Ｒ２と無線ＩＤタグとの間に水分が多い状態では無線通信ができなくなる場合（例えば、周波数が２．４５ＧＨｚのＲＦＩＤの場合）には、脱水処理することで手術用ガーゼＧの無線ＩＤタグの周囲の水分を除去して第二読取部Ｒ２により確実に読取処理を行うことができる。また、回転により手術用ガーゼＧを脱水しているので、脱水の際に無線ＩＤタグに加わる曲げ変形や圧縮等の負荷を小さくすることができ、無線ＩＤタグの破損等を防止することが可能となる。
【００２５】
なお、回転槽２３の底部に重量検知センサを取り付けて回転槽２３内に投入された使用済みの手術用ガーゼＧの重量を検知するようにしてもよい。使用済みの手術用ガーゼＧの重量を検知することで、使用前の手術用ガーゼＧの重量を登録しておけば、手術用ガーゼＧに含まれる体液の重量を算出することができる。また、複数枚の手術用ガーゼＧが投入された場合にも検知された重量に基づいて容易に判定することが可能となる。
【００２６】
図７は、手術用ガーゼＧに関する平面図である。手術用ガーゼＧには、経方向又は緯方向に糸状体Ｆが織り込まれている。糸状体Ｆは、柔軟性を有するとともに耐伸縮性及び耐屈曲性を備えており、手術用ガーゼＧの周縁に近接配置されて手術用ガーゼＧを取り扱う際に支障が生じないようになっている。
【００２７】
図８は、手術用ガーゼＧの一部拡大平面図である。手術用ガーゼＧは、綿糸からなる経糸ｇ１及び緯糸ｇ２を織成して構成されており、この例では糸状体Ｆが緯糸ｇ２の間に配列されている。そして、経糸ｇ１が糸状体Ｆの上下に交互に交差して緯糸ｇ２と同様に挟持されている。そのため、糸状体Ｆが手術用ガーゼＧに密着保持されて抜け落ちることはなく、部分的に引き出されることもない。また、糸状体Ｆが柔軟性及び伸縮性を有しているため、手術用ガーゼＧが変形してもそれに追従して変形することができ、破損等のトラブルが生じることはない。なお、上述した例では、糸状体Ｆを緯方向に配列しているが、経方向に配列して保持することもできる。
【００２８】
図９は、糸状体Ｆに関する概略断面図である。糸状体Ｆは、糸本体５０に形成された一対の導電性パターン５１に無線ＩＤタグ５２を螺旋状に巻き付けて接着固定し、その上から保持糸５３を巻き付けて無線ＩＤタグ５２を糸本体５０に密着保持し、さらにその上から全周にわたって樹脂層５４で被覆して構成されている。
【００２９】
無線ＩＤタグ５２は、インレット付きのものが用いられており、ＩＣチップが中間部に配置されてその両側にアンテナが形成されたインレットが設けられている。そして、糸本体５０に形成された一対の導電性パターン５１の間にＩＣチップを接着して両側のアンテナ部分を導電性パターン５１に螺旋状に巻き付けて接着固定している。その際に、アンテナ部分の延設する方向が糸本体５０の糸長方向と傾斜するように接着する。このように無線ＩＤタグ５２を糸本体５０に巻き付けることで、ＩＣチップに無理な力がほとんど加わらずに巻き付けることができる。また、アンテナ部分を導電性パターン５１に接着固定することで、導電性パターン５１がアンテナとして機能するようになる。
【００３０】
糸本体５０としては、絶縁性を有する繊維材料で構成されており、合成繊維材料としては、ポリエステル、ナイロン、アクリル、ポリプロピレン、パラ系アラミド、メタ系アラミド、ポリアリレート、ポリベンゾイミダゾール等が挙げられ、天然繊維材料としては、綿、ウール、麻等が挙げられ、無機繊維材料としてはガラスが挙げられる。そして、これらの繊維材料を混合したものであってもよい。
【００３１】
また、糸本体としては、モノフィラメント糸、マルチフィラメント糸又は紡績糸が用いられるが、フィラメント糸で構成されたものが好ましい。糸本体は、構成する繊維材料がばらけないように１０回／ｍ〜３００回／ｍの撚りを付与しておくとよい。糸本体の太さは、０．０５ｍｍ〜１ｍｍに設定するとよい。糸本体の太さが０．０５ｍｍより細くなると、ＩＣチップ等の電子部品のサイズよりも小さくなるため実装が困難となり、１ｍｍよりも太くなると、糸本体５０の柔軟性が低下して糸状体Ｆの柔軟性が失われる。
【００３２】
導電性パターン５１は、抵抗が３０Ω／ｃｍ以下に設定すればよく、より好ましくは１０Ω／ｃｍ以下に設定するとよい。導電性パターンが３０Ω／ｃｍを超えると、無線ＩＤタグ５２との間の導通状態が不十分となり、無線通信を行う場合の送受信の精度が低下する。また、導電性パターン５１の糸長方向の長さは、無線ＩＤタグ５２が送受信する電波の周波数に対応させて設定すればよい。
【００３３】
導電性パターン５１を形成する場合、絶縁性を有する樹脂材料からなる糸本体５０の表面を易接着処理し、易接着処理された表面に対して粘度５０ｍＰａ・ｓ〜１００００ｍＰａ・ｓに調整した触媒インクを導電性パターンに対応する範囲に付与して乾燥し、触媒インクが付与された表面に無電解メッキ処理により金属メッキ層からなる導電性パターンを形成することができる。易接着処理としては、プラズマ処理、コロナ放電処理又はスパッタリング処理、エポキシやウレタン樹脂などのプライマ剤、ポリエステル繊維には有効なアルカリ減量処理のいずれかの処理を行えばよい。このように導電性パターンを形成することで、耐伸縮性及び耐屈曲性を有する導電性パターンを形成することができる。
【００３４】
また、導電性パターン５１は、線状、矩形状、円形状、楕円形状といった配線パターンに用いられる形状に形成され、特に限定されない。そして、導電性パターン５１を糸本体５０の周囲に形成するようにしてもよく、周方向に広幅に形成したり、らせん状に形成することもできる。導電性パターン５１を周方向に形成することで、無線ＩＤタグ５２を巻き付けて確実に接着固定することができる。
【００３５】
保持糸５３は、２本の糸でダブルカバーリング加工により巻き付けてもよく、また複数の糸を組み合せて組紐状に巻き付けてもよい。保持糸５３としては、絶縁性を有する繊維材料が用いられ、ポリエステル、ナイロン、アクリル、ポリプロピレン、パラ系アラミド、メタ系アラミド、ポリアリレート、ポリベンゾイミダゾール等の合成繊維材料、綿、ウール、麻等の天然繊維材料、ガラス等の無機繊維材料が挙げられる。そして、これらの繊維材料を混合したものであってもよい。また、保持糸５３として熱収縮する繊維材料を使用すれば、糸本体５０に保持糸５３を巻き付けた後に加熱処理して保持糸５３を熱収縮させることで、糸本体５０に保持糸５３が圧着して無線ＩＤタグ５２を密着させた状態にすることができ、また糸状体Ｆを細く柔軟性を有するものに仕上げることが可能となる。この場合の保持糸５３の沸水収縮率としては、５％〜１５％が好ましい。ここで、沸水収縮率（ＢＷＳ）は、繊維を沸騰水中に１０分間浸漬したときの収縮率である。沸水収縮率が５％より小さいと保持糸５３が糸本体５０の表面に十分密着した状態とならず、無線ＩＤタグ５２の保持が不安定になり、沸水収縮率が１５％より大きいと熱収縮により無線ＩＤタグ５２が破損するおそれがある。
【００３６】
また、保持糸５３としては、モノフィラメント糸、マルチフィラメント糸又は紡績糸が用いられるが、フィラメント糸で構成されたものが好ましい。フィラメント糸を無撚糸かそれに近い甘撚糸で使用することで、保持糸５３を巻き付けた際に繊維が拡がった扁平状態となって表面を被覆するため保持効果を高めることができる。保持糸５３の繊度は、糸本体の１／１０以下であることが好ましい。繊度が糸本体の繊度の１／１０を超えた太い糸を用いると、糸状体Ｆ複合糸が硬くなって柔軟性が失われ、また巻き付ける力が強くなって電子部品等の物品を破損する等の不具合が生じるようになる。また、保持糸５３のフィラメント単糸繊度は、小さい方が巻き付けた際に幅広く扁平に潰れやすくなって無線ＩＤタグ５２を確実に被覆して固定することができ、また糸状体Ｆの柔軟性を維持することができる。具体的には、保持糸のフィラメント単糸繊度を０．３ｄｔｅｘ〜２．５ｄｔｅｘであることが好ましく、より好ましくは０．３ｄｔｅｘ〜１．５ｄｔｅｘである。保持糸による糸本体表面の被覆率が３０％〜９０％となるように巻き付けるのが好ましい。３０％より被覆率が下がると無線ＩＤタグ５２のＩＣチップが保持糸５３の間に露出して外れる可能性があり、９０％を超えると糸状体Ｆとしての柔軟性が失われる。
【００３７】
カバーリング加工による保持糸５３を糸本体５０に巻き付ける場合には、無線ＩＤタグ５２に搭載されるＩＣチップのサイズに合わせて撚り数を設定するとよい。例えば、０．５ｍｍ〜０．７ｍｍのサイズのＩＣチップの場合には、２，０００Ｔ／ｍ以上の撚り数で加工すれば、少なくとも１回はＩＣチップに対して保持糸５３を巻き付けるようにすることができる。保持糸５３のフィラメント単糸繊度を０．３ｄｔｅｘ〜２．５ｄｔｅｘに設定した場合には、ＩＣチップに対して１．５回以上巻き付けるように撚り数を設定すれば、保持糸５３が潰れて幅広にＩＣチップを覆うように巻き付いてＩＣチップが複数個所で保持されるようになるため、確実に固定することができる。
【００３８】
糸状体Ｆの周囲を樹脂層５４で被覆することで、耐薬品性、耐湿性、耐熱性といった保護層を設けることができる。特に、手術用ガーゼＧの滅菌処理の際の湿熱処理や電子線照射に対しても無線ＩＤタグ５２を保護することが可能となる。樹脂層５４を形成する場合の塗布量は、塗布する樹脂の種類によって異なるが、糸本体に対する重量比で１０％〜２００％の範囲に設定することが好ましい。樹脂層に使用する樹脂材料としては、一般に保護層に使用されている樹脂材料で被覆すればよく、例えば、ポリエステル系樹脂、ポリオレフィン系樹脂、ポリアミド系樹脂、ポリウレタン系樹脂、ゴム系樹脂、シリコン系樹脂といった公知の樹脂材料を用いることができる。樹脂材料としては、糸状体Ｆの特性に影響を与えないように柔軟性、伸縮及び屈曲等の変形に対する耐久性を有するものを使用すればよい。また、樹脂材料に予めＸ線の照射により発光する蛍光剤を混合しておくことで、手術後に手術用ガーゼＧが残留している場合にＸ線を照射することで糸状体Ｆが発光して探索しやすくすることができる。また、樹脂層５４で被覆後の糸状体Ｆの直径は、手術用ガーゼＧの表面の凹凸が少なく取り扱う際の違和感がほとんどないサイズにすることが好ましく、具体的には０．５ｍｍ〜１．５ｍｍに設定するとよい。
【００３９】
手術用ガーゼＧは、シャットル織機等の公知の織機により連続した布帛の状態で織成した後所定の大きさに切断して製造される。また、糸状体Ｆは、図９に示す構造が連続形成されて無線ＩＤタグが所定間隔を置いて担持される複合糸を切断して得ることができる。そのため、織機によりガーゼの元となる布帛を織成する際に複合糸を併せて織り込み、複合糸が織り込まれた布帛を複合糸とともに切断することで、糸状体Ｆが織り込まれた手術用ガーゼＧを得ることができる。このように、従来のガーゼの製造方法に基づいて糸状体Ｆを織り込んだ手術用ガーゼＧを製造することができるので、製造コストを抑えることが可能となる。
【００４０】
手術用ガーゼＧを製造する際や使用する際に生じる糸状体Ｆの伸縮に対して導電性パターン５１が物理的及び電気的に影響を受けることなく伸縮する必要がある。通常のガーゼの製造工程や使用状態では、糸状体Ｆが伸度５％以上でも導電性パターン５１を破断することなく、３％伸長後の残留歪みが１％以下であれば、通常の手術用ガーゼＧと同様に取り扱うことが可能である。また、こうした糸状体Ｆの伸縮の際にも無線ＩＤタグ５２の破損や脱落等生じることなく導電性パターン５１の抵抗が３０Ω／ｃｍ以下に維持される耐伸縮性を備えていれば、手術用ガーゼＧに糸状体Ｆを織り込んだ状態で無線ＩＤタグを安定して識別することができる。また、糸本体５０に無線ＩＤタグ５２を螺旋状に固定しているので、糸状体Ｆに捩れ等が加えられた場合にも十分な耐久性を備えるようになる。
【００４１】
糸状体Ｆが手術用ガーゼＧの地糸と同様の耐久性を備えるためには、糸状体Ｆはその繊維軸に対して等方的な柔軟性を備える必要がある。そのためには、繊維軸に対して疑似同心円形状であり、柔軟性も繊維軸に対してすべての方向でほぼ等しい柔軟性を備えることで、糸状体Ｆを織り込んだ手術用ガーゼＧを通常のガーゼと同様に取り扱うことが可能となる。具体的には、疑似同心円形状の場合断面形状が扁平率で２以下であればよく、疑似円が最も好ましい。扁平率が２を超えると、曲がる方向によって柔軟性に差が生じて通常のガーゼと同様の取り扱いが難しくなる。また、柔軟性については、純曲げ試験機（カトーテック株式会社製KES  FB2-AUTO-A）で測定した場合、異なる方向の変位量が平均値に対して５０％以下であればよい。５０％を超えると、通常のガーゼと同様の取り扱いが難しくなる。
【００４２】
糸状体Ｆの耐屈曲性については、糸状体Ｆの無線ＩＤタグ５２の固定部位を糸本体５０の繊維軸に対して左右９０度の角度まで屈曲させる負荷動作を繰り返し行うことで評価することができる。負荷動作を１０００回繰り返した後に導電性パターン５１の抵抗が３０Ω／ｃｍ以下に維持されてＩＣチップの性能が影響を受けることがなければ、通常のガーゼと同様に取り扱っても導電性パターン５１の破断や無線ＩＤタグ５２のＩＣチップの剥離等の影響を受けることがなく、十分な耐屈曲性を有すると評価できる。耐屈曲性については、１３５度の角度まで屈曲させる負荷動作を１００００回繰り返した後に導電性パターン５１の抵抗が３０Ω／ｃｍ以下に維持されることがより好ましい。
【００４３】
図１０は、情報管理部３に関するブロック構成図である。情報管理部３は、手術用ガーゼＧの使用状況を管理する情報処理部３０、手術用ガーゼＧの使用状況等を出力して表示する表示部３１及び手術用ガーゼＧの無線ＩＤタグの識別情報及び手術用ガーゼＧの使用状況に関する情報を記憶する記憶部３２を備えている。情報管理部３としては、ＣＰＵ、メモリ、ハードディスク、ディスプレイ、キーボード、マウス等を備える公知のパーソナルコンピュータを用いることができる。
【００４４】
情報処理部３０は、登録処理部３０１、取出し処理部３０２、回収処理部３０３及び照合処理部３０４を備えている。登録処理部３０１は、入力部４から入力される手術用ガーゼＧの無線ＩＤタグに関する識別情報を登録日とともに記憶部３２に登録処理する。識別情報は、手術用ガーゼＧの製造段階において所定枚数をまとめて滅菌袋で包装したパッケージ毎に予め記録媒体に記録しておき、記録媒体から入力部４により記録データを読み込むようにしてもよい。また、パッケージ内に含まれる無線ＩＤタグを一括して入力部４で直接読み取るようにしてもよい。手術用ガーゼＧの無線ＩＤタグに識別情報以外の情報（製造日、製造元コード、質量等）が記録されている場合には、そうした情報も識別情報とともに入力部４により読み取って情報処理部３０に入力されて、識別情報に関連付けて登録処理する。また、登録処理部３０１は、手術用ガーゼＧを取り扱う使用者に関するＩＤデータが入力部４から入力された場合に、登録日とともにＩＤデータを登録処理する。例えば、手術を行う際に実際に手術用ガーゼＧを取り出したり、回収したりする業務を行う担当者のＩＤデータを登録すればよい。ＩＤデータは、キーボード等により入力したり、ＩＤカードを読み取ることで入力することができる。
【００４５】
取出し処理部３０２は、収容部１において取り出された手術用ガーゼＧの無線ＩＤタグに記憶された識別情報等が第一読取部Ｒ１により読み取られて入力されると、読み取られた識別情報を登録済みの識別情報と照合し、一致する識別情報がある場合には識別情報に関連付けて取出し日時及び取り出した者のＩＤデータを取出し情報として記憶部３２に記憶処理する。ＩＤデータの入力処理については、例えば、収容部１の近くに読取装置を配置しておき、手術用ガーゼＧを取り出す毎に取り出した者がＩＤカードを読取装置に読み取らせることで入力することができる。
【００４６】
また、手術用ガーゼＧを取り出した際に無線ＩＤタグの識別情報が読み取れた場合には、画面表示又は音による報知処理を行う。そのため、手術用ガーゼＧを取り出した際に無線ＩＤタグの識別情報が読み取れずに報知されない場合には、その手術用ガーゼＧの使用を取り止めるようにする。収容部１において上述した取出しセンサが設けられている場合には、取出しセンサからの検知信号に基づいて無線ＩＤタグの識別情報が第一読取部Ｒ１で読み取れない場合に報知するようにしてもよい。
【００４７】
回収処理部３０３は、回収部２に投入された使用済みの手術用ガーゼＧの無線ＩＤタグに記憶された識別情報等が第二読取部Ｒ２により読み取られて入力されると、読み取られた識別情報を登録済みの識別情報と照合し、一致する識別情報がある場合には識別情報に関連付けて回収日時及び回収者のＩＤデータを回収情報として記憶部３２に記憶処理する。ＩＤデータの入力処理については、例えば、回収部２の近くに読取装置を配置しておき、手術用ガーゼＧを投入する毎に回収者がＩＤカードを読取装置に読み取らせることで入力することができる。
【００４８】
第二読取部Ｒ２において読み取られた無線ＩＤタグの識別情報が登録済みの識別情報と一致しない場合には、他で使用されたガーゼが混在した可能性があるので、読み取られた識別情報をエラー情報として記憶するとともに報知処理を行い、登録外のガーゼである旨メッセージ表示を行う。また、投入検知センサＳ１が手術用ガーゼＧの投入を検知した後回転モータ２５の駆動処理を行い、所定時間内に第二読取部Ｒ２において無線ＩＤタグの識別情報が読み取られなかった場合には、無線ＩＤタグの付いていないガーゼ又は無線ＩＤタグが破損したガーゼの可能性があるので、報知処理して規格外のガーゼである旨のメッセージ表示を行う。
【００４９】
また、第二読取部Ｒ２において複数の識別情報が読み取られた場合には複数枚のガーゼが投入された可能性があるので、報知処理を行って投入された手術用ガーゼＧの確認を促すメッセージ表示を行う。なお、回転槽２３内に投入された手術用ガーゼＧの重量が重量検知センサにより検知される場合には、検知された重量に基づいて複数枚の手術用ガーゼＧが投入されたか否か判定し、複数枚投入されたと判定された場合には投入された手術用ガーゼＧの確認を促すメッセージを表示すればよい。また、第二読取部Ｒ２として、多重読取り機能を備えたものを使用すれば、複数枚のガーゼが投入された場合でも読取処理を行うことができる。
【００５０】
こうした回収処理においてエラー処理された場合には、エラー処理の日時及び回収者のＩＤが記憶される。
【００５１】
回収処理部３０３は、投入検知センサＳ１が使用済み手術用ガーゼＧの投入を検知した後所定時間回転モータ２５の駆動信号を出力して回転槽２３を回転駆動するように処理する。そして、第二読取部Ｒ２から無線ＩＤタグの識別情報を受信した後に回動モータ２７の駆動信号を出力して回転槽２３を回動させて使用済み手術用ガーゼＧを回収容器２２に落下させ、回転槽２３を元の位置に戻すように回動モータ２７に駆動信号を出力する。
【００５２】
照合処理部３０４は、使用済みの手術用ガーゼＧの回収処理が終了した後、記憶部３２に記憶された取出し処理した手術用ガーゼＧについて回収処理されたか否か照合する。登録された手術用ガーゼＧの識別情報に関連する取出し日時に対応して回収日時が記憶されていない場合には未回収の手術用ガーゼＧとして抽出し、未回収リストを作成する。未回収リストは、未回収の手術用ガーゼＧの識別情報、登録日、取出し日時及び取出し者ＩＤを表示する。また、回収処理においてエラー処理された手術用ガーゼＧのエラー処理日時及び回収者のＩＤをリストアップし、未回収リストもデータとの照合作業が行えるようにする。また、手術を動画撮影している場合には、未回収の手術用ガーゼＧの取出し日時の前後の動画を再生処理して、手術中にガーゼを使用した部位等を特定し、未回収の手術用ガーゼＧの探索を効率よく行うようにする。
【００５３】
図１１は、手術用ガーゼの取出し処理に関するフローである。事前に、使用する手術用ガーゼに関する識別情報等のデータ及び使用者に関するＩＤデータ等を一括して記憶部３２に登録しておく。まず、取出し者ＩＤの入力があるかチェックし（Ｓ１００）、取出し者ＩＤの入力があった場合には、取出し者ＩＤを取得して（Ｓ１０１）使用者ＩＤとして登録されているかチェックする（Ｓ１０２）。
【００５４】
取出し者ＩＤが登録されている場合には、第一読取部Ｒ１から読取信号が出力されたかチェックし（Ｓ１０３）、読取信号が出力された場合には取り出した手術用ガーゼの読取処理を行う（Ｓ１０４）。読取処理では、読み取られた識別情報等のデータチェックを行うとともに正確に読み取られた場合に読み取られたことを示す報知処理を行う。そして、読み取られた識別情報が登録された識別情報と一致するものであるかチェックし（Ｓ１０５）、一致する場合には、取出し情報として取出し日時及び取出し者ＩＤを識別情報と関連付けて記憶する（Ｓ１０６）。
【００５５】
ステップＳ１０２において取出し者ＩＤが登録されていない場合には、エラー処理を行い（Ｓ１０９）、手術用ガーゼの取出しを行うことができない旨のメッセージ表示を行う。また、ステップＳ１０５において第一読取部Ｒ１で読み取られた手術用ガーゼの識別情報が登録されていない場合には、登録が必要か不要か選択表示して（Ｓ１０７）、必要と選択された場合には登録処理（Ｓ１０８）を行い、手術用ガーゼの無線ＩＤタグから読み取られた情報を登録する。登録が不要とされた場合には、エラー処理を行い、取り出した手術用ガーゼが使用できない旨のメッセージ表示を行う。
【００５６】
以上の取出し処理では、事前に使用する手術用ガーゼの登録処理を行っているが、手術用ガーゼを取り出す毎にステップＳ１０８において登録処理を行うこともできる。
【００５７】
図１２は、使用済みの手術用ガーゼの回収処理に関するフローである。まず、回収者ＩＤの入力があるかチェックし（Ｓ２００）、回収者ＩＤの入力があった場合には、回収者ＩＤを取得して（Ｓ２０１）取得した回収者ＩＤが使用者ＩＤとして登録されているかチェックする（Ｓ２０２）。
【００５８】
回収者ＩＤが登録されている場合には、投入検知センサＳ１から手術用ガーゼの投入があったことを示す検知信号が出力されたかチェックする（Ｓ２０３）。投入検知センサＳ１からの検知信号が出力された場合には、回転モータ２５の回転駆動処理を所定時間行い（Ｓ２０４）、第二読取部Ｒ２から読取信号が出力されたかチェックする（Ｓ２０５）。そして、読取信号が出力された場合には投入された手術用ガーゼの読取処理を行う（Ｓ２０６）。読取処理では、読み取られた識別情報等のデータチェックを行うとともに正確に読み取られた場合に読み取られたことを示す報知処理を行う。そして、読み取られた識別情報が登録された識別情報と一致するものであるかチェックし（Ｓ２０７）、一致する場合には、回収情報として回収日時及び回収者ＩＤを識別情報と関連付けて記憶する（Ｓ２０８）。回収情報を記憶した後回動モータ２７を駆動して回転槽２３を回動させる処理を行い（Ｓ２０９）、回収容器に使用済みの手術用ガーゼを落下させる。
【００５９】
ステップＳ２０２において回収者ＩＤが登録されていない場合には、エラー処理を行い（Ｓ２１０）、手術用ガーゼの投入を行うことができない旨のメッセージ表示を行う。また、ステップＳ２０５において第二読取部Ｒ２で識別情報が読み取れない場合には、エラー処理を行い（Ｓ２１０）、エラー処理日時及び回収者ＩＤを記憶するとともに投入された手術用ガーゼを別の確認用容器に移すように促す旨のメッセージ表示を行う。また、第二読取部Ｒ２で複数の識別情報が読み取られた場合にも識別情報が読み取れないものとして同様の処理を行う。確認用容器に移された使用済みの手術用ガーゼは、複数枚含まれているか、糸状体Ｆの有無及び破損していないか等が確認され、複数枚含まれている場合には個別に再度回収処理を行う。また、ステップＳ２０７において第二読取部Ｒ２で読み取られた手術用ガーゼの識別情報が登録されていない場合にも、エラー処理を行い（Ｓ２１０）、エラー処理日時及び回収者ＩＤを記憶するとともに投入された手術用ガーゼを別の確認用容器に移すように促す旨のメッセージ表示を行う。
【００６０】
図１３は、照合処理に関するフローである。まず、登録された識別情報の取出日時に対応する回収日時が記憶されているか照合処理を行う（Ｓ３００）。取出日時が記憶されている識別情報において回収日時が記憶されていない場合には、未回収の手術用ガーゼとする。また、取出日時より早い回収日時が記憶されている場合や取出日時から所定時間経過後の回収日時が記憶されている場合のように回収日時が取出日時に対応していない場合にも未回収の手術用ガーゼとする。
【００６１】
未回収の手術用ガーゼの有無をチェックし（Ｓ３０１）、未回収の手術用ガーゼが存在する場合には未回収の手術用ガーゼとされたものの識別情報、登録日、取出し日時、取出者ＩＤ、回収日時、回収者ＩＤ等のデータを抽出して未回収リストを作成する（Ｓ３０２）。そして、エラー処理情報の有無をチェックして（Ｓ３０３）エラー情報が記憶されている場合には、エラー処理日時、回収者ＩＤを抽出してエラーリストを作成する（Ｓ３０４）。
【００６２】
次に、未回収リストの識別情報について照合処理を行う（Ｓ３０５）。例えば、未回収リストとエラーリストとを取出日時とエラー処理日時との関連性のあるものを突き合わせて対応するものがないか照合する。また、未回収の手術用ガーゼの取出日時の前後に取り出された手術用ガーゼの回収日時に基づいて未回収の手術用ガーゼの回収日時の推測日時を設定する。こうした照合処理により未回収の手術用ガーゼの存在及び数を明確に認識することができ、また未回収の手術用ガーゼを効率よく探索するための情報を得ることが可能となる。
【００６３】
滅菌性を保持する等の目的で、収容部１に使用せずに手術用ガーゼＧを取り出すようにする場合がある。こうした場合には、予め梱包された複数枚の手術用ガーゼＧの無線ＩＤタグの識別情報を梱包単位で一括して記憶部３２に登録しておき、手術用ガーゼを使用する前に梱包番号を入力するか梱包材のＩＤを入力して使用する梱包単位を選択する。そして、選択した梱包単位に含まれるすべての手術用ガーゼＧの無線ＩＤタグの識別情報を記憶部３２から読み出して取出し情報を設定する。そして、選択された梱包単位から手術用ガーゼＧを随時取り出し、使用した手術用ガーゼＧは回収部に投入して回収処理を行う。手術終了後に梱包単位に残った未使用の手術用ガーゼＧについて無線ＩＤタグの識別情報を読み取り、照合処理において梱包単位に含まれる手術用ガーゼＧがすべて回収又は未使用であるかチェックする。照合処理においてすべて確認されていない場合にはエラー処理し、確認されない枚数及びその識別情報に関連する取出し情報を表示し、未使用と回収が重複する場合にも同様の表示処理を行う。
【実施例】
【００６４】
＜糸状体の製造＞
図７に示す手術用ガーゼＧに用いる糸状体Ｆついて以下のように製造した。まず、糸状体の糸本体として、ポリエステルからなるマルチフィラメント（１１００ｄｔｅｘ／２５０ｆ；帝人株式会社製）に１００回／ｍのＳ撚りをかけ、撚り止めの熱セットを１１５℃スチームで３０分処理した糸を準備した。糸本体の太さは０．７ｍｍであった。
【００６５】
次に、準備した糸に導電性パターンを形成するために、大気圧プラズマ処理を施した後、スズ銀インクにポリウレタン溶剤系樹脂液を添加して粘度を５０ｍＰａ・ｓ〜１００ｍＰａ・ｓに調整した触媒インクを付着して乾燥することで定着させ、無電解銅メッキ処理を行った。形成された導電性パターンについて抵抗値を測定したところ、３０Ω／ｃｍより低い抵抗値であり、無線ＩＤタグを巻き付けた場合でも信号の送受信に関して十分な導電性を有していることが確認できた。
【００６６】
無線ＩＤタグとして、日立化成工業株式会社製ＲＦＩＤ用ＩＣチップ（ミューチップ（登録商標）インレット付き）を準備した。そして、導電性パターンが形成された糸本体に対して、導電性パターンの間のスペースにチップ部分を接着剤により接着固定し、アンテナ部分を糸本体の糸長方向と傾斜させた状態で巻き付けて接着固定した。保持糸の繊維材料として、ポリエステルからなるマルチフィラメント（３３ｄｔｅｘ／２４ｆ；帝人株式会社製Ｂ３０−４２−Ｔ、３３０Ｓ）を使用した。カバーリング加工機（片岡機械株式会社製ＰＦ−Ｄ−２３０型、Ｄ４）を用いて保持糸を糸本体にダブルカバーリング加工した。
【００６７】
ダブルカバーリング加工した糸本体の周囲に、樹脂材料として耐熱温度の高いポリエステル樹脂をコーティング処理して樹脂層で被覆した。コーティング処理には、ホットメルト塗工設備を使用し、１．６ｍｍのノズルを使い複合糸の周囲を樹脂でコーティングした。ポリエステル樹脂は、東レ・デュポン株式会社製ハイトレルＳＢ７０４（ポリエステルエラストマ系）を使用し、糸本体の周囲を均一な樹脂層で薄く被覆することができた。樹脂層が形成された複合糸についてＲＦＩＤとしての動作確認を行った。ＲＦＩＤ用の読取器として、リーダーにはシーデックス社製ＵＲ１３Ａ−＃５（２３ｄＢｍ）、アンテナにはアンテノーバ社製Ｂ４８４４（２．２ｄＢ）を使用し、読取可能な最大距離を測定して動作確認を行った。比較のため、加工前のＲＦＩＤ用ＩＣチップについても測定した。糸状体について測定したところ、カット前のＲＦＩＤ用ＩＣチップとほぼ等しい１３０ｍｍの読取距離までＩＤ情報を繰り返し正確に読み取ることができ、糸状体に担持されたＩＣチップが正常に動作していることを確認できた。
【００６８】
製造した糸状体について、耐伸縮性、耐屈曲性及び柔軟性の評価を以下の通り行った。（１）耐伸縮性の評価 
株式会社島津製作所製オートグラフAGS−1KNG型を使用し、複合糸の耐伸縮性を評価した。長さ４０ｍｍの糸状体に１０ｍｍ／分の定長伸長速度で引張荷重１８Ｎを印加して１０秒維持し、除荷重後ＲＦＩＤの読取動作を確認した。５回の伸長試験を繰り返した後でも正常に動作することを確認できた。
（２）繰り返し耐屈曲性の評価 
糸状体の無線ＩＤタグが実装された領域を曲げ角度１３５度で左右に屈曲させて糸状体の耐屈曲性を評価した。糸状体を屈曲させる負荷動作を１０００回繰り返し行い、負荷動作を行った後糸状体の担持するＲＦＩＤ用ＩＣチップの読取動作を行い、正常に動作することが確認できた。
（３）柔軟性の評価 
純曲げ試験機（カトーテック株式会社製KES  FB2-AUTO-A）を使用し、無線ＩＤタグが実装された領域において曲げ剛性を測定した。測定条件は、最大曲げ曲率２．５ｃｍ-1で、糸をその周方向に９０度ずつ回転させて４方向の曲げ方向で測定を行った。測定結果をみると、糸状体の異なる方向の曲げ剛性値は、平均値に対するずれは５０％以下で、各方向の平均値との比較では１０％以下のずれとなっており、曲げに対して等方性材料であることがわかった。
【００６９】
＜ガーゼの製造＞
経糸及び緯糸として、綿糸３０Ｓ（約１７７ｄｔｅｘ）を使用し、シャットル織機（津田駒工業株式会社製ＬＫ）により密度１２本／ｃｍで地組織を平織りし、図８に示すように、製造した糸状体を緯方向に織り込んだ。得られた布帛についてＲＦＩＤ用ＩＣチップの読取動作を行ったところ正常に動作することが確認できた。また、経方向に糸状体を織り込んで同様に読取動作を行ったところ正常に動作することが確認できた。
【００７０】
（１）引き抜き試験
得られた布帛の糸状体について、万能試験機（株式会社島津製作所製オートグラフAGS-1kNG型）を使用して引き抜き試験を行った。引き抜き試験では、図１４に示すように、布帛を３０ｃｍ四方の大きさに切断した２枚の手術用ガーゼＧ１及びＧ２のうち、手術用ガーゼＧ１に織り込まれた糸状体Ｆ１を５ｃｍ分だけ手術用ガーゼＧ２に織り込まれた状態に設定し、手術用ガーゼＧ１及びＧ２を糸状体Ｆ１に沿って離間する方向に荷重を加え、手術用ガーゼＧ２から糸状体Ｆ１が引き抜かれ始める荷重を測定した。測定結果は、糸状体Ｆ１の引き抜きには約７．８Ｎの荷重が必要であることがわかった。織物を通常の方法で取り扱う場合には、一般に引き抜き力が０．５Ｎ以上であれば、織物から簡単に脱落することはないことから、糸状体は引き抜きに対して十分な耐久性を備えている。
【００７１】
（２）滅菌処理後の動作確認
得られた布帛を３０ｃｍ四方の大きさに切断して作成した手術用ガーゼについて、電子加速器ロードトロン（ＩＢＡ社製）を使用して電子線照射（１０ＭｅＶ）による滅菌処理を行った。照射線量を１５ＫＧｙ〜７５ＫＧｙで段階的に設定して照射したところ、いずれの照射線量でもＲＦＩＤ用ＩＣチップに対して正常な読取動作を行うことができた。比較例として、市販のＵＨＦインレット（日立化成工業株式会社製）に同様の電子線照射を行ったところ、正常な読取動作を行うことができなくなっていた。
【００７２】
次に、電子線照射により滅菌処理した手術用ガーゼの滅菌状態を評価した。滅菌状態の評価は、財団法人日本食品分析センターにおいて、第十六改日本薬局方一般試験法「無菌試験法」に定める培地及び培養条件で直接法にて試験した。電子線照射による滅菌処理を行っていない手術用ガーゼでは無菌試験において菌の発育が認められたのに対し、照射線量を１５ＫＧｙ及び２５ＫＧｙで電子線照射による滅菌処理を行った手術用ガーゼでは菌の発育が認められなかった。
【００７３】
以上の試験結果によれば、糸状体を織り込んだ手術用ガーゼは、手術等において取り扱う際の耐久性を十分備えているとともに柔軟性に優れているため、通常のガーゼと同様に使用することができる。
【００７４】
＜ガーゼの読取処理＞
収容部１に手術用ガーゼを積載した状態で取出し処理を行ったところ１枚ずつ手術用ガーゼの無線ＩＤタグを読み取ることができた。取り出した手術用ガーゼに体液と同等のイオン水（市販のスポーツ飲料）を含浸させた後回収部２に投入し、投入検知後に脱水処理して手術用ガーゼの読取処理を行ったところ、取出し処理で読み取った識別情報を読み取ることができた。そして、手術用ガーゼの読取処理後脱水槽から手術用ガーゼを排出することができた。また、取出し処理を行っていない手術用ガーゼを回収部２に投入して脱水処理して読取処理を行ったところ、取り出した手術用ガーゼと異なるものであることが表示された。
【符号の説明】
【００７５】
Ｇ・・・手術用ガーゼ、Ｆ・・・糸状体、Ｒ１・・・第一読取部、Ｒ２・・・第二読取部、Ｓ１・・・投入検知センサ、１・・・収容部、２・・・回収部、３・・・情報管理部、４・・・入力部
【図１】
0005838464.tif 000002
【図２】
0005838464.tif 000003
【図３】
0005838464.tif 000004
【図４】
0005838464.tif 000005
【図５】
0005838464.tif 000006
【図６】
0005838464.tif 000007
【図７】
0005838464.tif 000008
【図８】
0005838464.tif 000009
【図９】
0005838464.tif 000010
【図１０】
0005838464.tif 000011
【図１１】
0005838464.tif 000012
【図１２】
0005838464.tif 000013
【図１３】
0005838464.tif 000014
【図１４】
0005838464.tif 000015